(57)【要約】【課題】  簡便にかつ高速に無線周波数チャネルを切り換える技術を提供する【解決手段】  光ファイバ伝送路と無線伝搬路を融合した無線光融合通信システムにおいて、基地局において第１光源及び第２光源と、中間周波数帯で変調信号を生成する中間周波数帯信号発生手段と、該中間周波数帯信号で該第１光源からの光信号をＳＳＢ光変調信号に変調する変調器と、変調された光信号と第２光源からの光信号とを混合して光送信する光混合器とを用い、いずれかの光信号の周波数について、その差が所望の無線変調信号周波数になるように調整し、無線伝搬路における無線変調信号の周波数チャネルを切り換える。【選択図】  図１
2005244655.tif 000002
【特許請求の範囲】
【請求項１】
無線変調信号を基地局で生成し、該無線変調信号を電気光変換することで変調形態を維持したまま光信号に変換してリモートアンテナ局まで光ファイバ伝送し、該リモートアンテナ局では該伝送された光信号を光電気変換することで無線変調信号を取り出してアンテナより無線送信する無線光融合通信システムにおいて、
基地局が、異なる周波数の光信号を発生する第１光源及び第２光源と、中間周波数帯で変調信号を生成する中間周波数帯信号発生手段と、該中間周波数帯信号で該第１光源からの光信号をキャリア非抑圧型の単側波帯（ＳＳＢ）光変調信号、もしくは両側波帯（ＤＳＢ）光変調信号に変調する変調器と、該変調された光信号と該第２光源からの光信号とを混合して光送信する光混合器とを少なくとも備える構成を用い、
該第１光源・該第２光源からの光信号の両方又はいずれかの周波数について、両光信号の周波数の差が所望の無線変調信号周波数になるように調整することにより、
該リモートアンテナ局で取り出される無線変調信号の周波数チャネルを切り換える
ことを特徴とする無線光融合通信システムにおける周波数変換方法。
【請求項２】
前記周波数変換方法において、
前記第１光源・前記第２光源の少なくともいずれかの後段に、光周波数シフタを挿入して、当該光源からの光信号の周波数をシフトさせる
請求項１に記載の無線光融合通信システムにおける周波数変換方法。
【請求項３】
前記光周波数シフタが、メインマッハツェンダの中に２つのサブマッハツェンダを含む光導波路を備え、周波数シフト量を決定する所定の周波数の発振信号で駆動する構成において、印可する電圧を変じて各導波路間で所定の位相差を生じさせることにより前記発振信号周波数に応じた周波数シフトを行う
請求項２に記載の無線光融合通信システムにおける周波数変換方法。
【請求項４】
前記所定の位相差について、サブマッハツェンダの導波路間位相差を＋π若しくは−πに設定する一方、メインマッハツェンダの導波路間位相差が＋π／２と−π／２とで反転するように電圧を印加することにより、光源からの光信号の周波数から上側波帯成分及び下側波帯成分にそれぞれ上記所定の周波数分だけシフトさせ、該所定の周波数の２倍に相当する周波数シフト量を得る
請求項３に記載の無線光融合通信システムにおける周波数変換方法。
【請求項５】
前記所定の位相差について、メインマッハツェンダの導波路間位相差を＋π／２若しくは−π／２に設定する一方、サブマッハツェンダの導波路間位相差が＋πと−πとで反転するように電圧を印加することにより、光源からの光信号の周波数から上側波帯成分及び下側波帯成分にそれぞれ上記所定の周波数分だけシフトさせ、該所定の周波数の２倍に相当する周波数シフト量を得る
請求項３に記載の無線光融合通信システムにおける周波数変換方法。
【請求項６】
前記印加する電圧を所定のパルス周波数・パルスパターン・パルス電圧にしたパルス列で構成し、前記無線変調周波数をホッピングさせる
請求項３ないし５のいずれかに記載の無線光融合通信システムにおける周波数変換方法。
【請求項７】
前記周波数シフト量を決定する所定の周波数の発振信号において、該周波数をホッピングさせることにより前記無線変調周波数をホッピングさせる
請求項３ないし５のいずれかに記載の無線光融合通信システムにおける周波数変換方法。
【請求項８】
無線変調信号を基地局で生成し、該無線変調信号を電気光変換することで変調形態を維持したまま光信号に変換してリモートアンテナ局まで光ファイバ伝送し、該リモートアンテナ局では該伝送された光信号を光電気変換することで無線変調信号を取り出してアンテナより無線送信する無線光融合通信システムにおける基地局であって、
異なる周波数の光信号を発生する第１光源及び第２光源と、中間周波数帯で変調信号を生成する中間周波数帯信号発生手段と、該中間周波数帯信号で該第１光源からの光信号をキャリア非抑圧型の単側波帯（ＳＳＢ）光変調信号、もしくは両側波帯（ＤＳＢ）光変調信号に変調する変調器と、該変調された光信号と該第２光源からの光信号とを混合して光送信する光混合器と共に、
該第１光源・該第２光源からの光信号の両方又はいずれかの周波数について、両光信号の周波数の差が所望の無線変調信号周波数になるように調整可能な調整手段を備えた
ことを特徴とする無線光融合通信システムにおける基地局。
【請求項９】
前記基地局において、
前記第１光源・前記第２光源の少なくともいずれかの後段に、光周波数シフタを挿入して、当該光源からの光信号の周波数をシフトさせる
請求項８に記載の無線光融合通信システムにおける基地局。
【請求項１０】
前記光周波数シフタが、メインマッハツェンダの中に２つのサブマッハツェンダを含む光導波路と共に、該各サブマッハツェンダには周波数シフト量を決定する所定の発振信号及び印加電圧を入力する電極と、メインマッハツェンダには所定の印加電圧を入力する電極とを備え、周波数シフト量を決定する所定の周波数の発振信号で駆動する構成において、印可する電圧を変じて各導波路間で所定の位相差を生じさせることにより前記発振信号周波数に応じた周波数シフトを行う
請求項９に記載の無線光融合通信システムにおける基地局。
【請求項１１】
前記所定の位相差について、サブマッハツェンダの導波路間位相差を＋π若しくは−πに設定する一方、メインマッハツェンダの導波路間位相差が＋π／２と−π／２とで反転するように電圧を印加することにより、光源からの光信号の周波数から上側波帯成分及び下側波帯成分にそれぞれ上記所定の周波数分だけシフトさせ、該所定の周波数の２倍に相当する周波数シフト量を得る
請求項１０に記載の無線光融合通信システムにおける基地局。
【請求項１２】
前記所定の位相差について、メインマッハツェンダの導波路間位相差を＋π／２若しくは−π／２に設定する一方、サブマッハツェンダの導波路間位相差が＋πと−πとで反転するように電圧を印加することにより、光源からの光信号の周波数から上側波帯成分及び下側波帯成分にそれぞれ上記所定の周波数分だけシフトさせ、該所定の周波数の２倍に相当する周波数シフト量を得る
請求項１０に記載の無線光融合通信システムにおける基地局。
【請求項１３】
前記印加する電圧を所定のパルス周波数・パルスパターン・パルス電圧にしたパルス列で構成し、前記無線変調周波数をホッピングさせる
請求項１０ないし１２のいずれかに記載の無線光融合通信システムにおける基地局。
【請求項１４】
前記周波数シフト量を決定する所定の周波数の発振信号において、該周波数をホッピングさせることにより前記無線変調周波数をホッピングさせる
請求項１０ないし１２のいずれかに記載の無線光融合通信システムにおける基地局。
【発明の詳細な説明】
【技術分野】
【０００１】
本発明は、光ファイバ伝送と無線通信を融合させた無線光融合通信システムに関し、より詳しくは、該無線通信システムにおいて無線周波数を切り換える技術に係るものである。
【背景技術】
【０００２】
従来から本件出願人らの研究等により、光ファイバ伝送と無線通信を融合させた無線光融合通信システムが提案されている。特に本願出願人らの方式では、異なる波長からなる第１及び第２のレーザ光源を用いて光信号を発生させ、中間周波数帯信号によって第１の光信号をキャリア非抑圧型の単側波帯（ＳＳＢ）光変調信号や両側波帯（ＤＳＢ）光変調信号に変調すると共に、それを第２の光信号と共に混合して送信する。
そして、無線通信経路では、光信号を光電気変換して無変調キャリアと無線変調信号を生成し、受信の際に両者の乗積成分を生成することで中間周波数帯変換信号を取り出して信号を復調するものである。
【０００３】
このような自己へテロダイン伝送方式によれば、受信信号を安定的に再生でき、しかも基地局からアンテナ局まで光ファイバ伝送により数ｋｍ程度の距離を低損失に送信できる特徴があり、好適な通信システムを実現できる。
【０００４】
図１０は、本方式による無線光融合通信システムの構成図である。図に示すように基地局（１００）、リモートアンテナ局（１１０）、受信端末（１２０）から成り、基地局（１００）とリモートアンテナ局（１１０）の間は光ファイバ伝送路（１３０）、リモートアンテナ局（１１０）と受信端末（１２０）の間は無線伝搬路（１３１）で接続されている。
【０００５】
基地局（１００）には発振周波数f1(Hz)で単一モード発振する第１レーザ光源（１０１）と、同様に発振周波数f2(Hz)で発振する第２レーザ光源（１０２）と共に、送信する情報信号データで変調された中間周波数帯変調信号を発生する中間周波数帯信号発生器（１０３）が設けられる。
【０００６】
そして、中間周波数帯信号発生器（１０３）で発生した中間周波数f_m(Hz)の中間周波数帯信号を、変調信号として基地局（１００）内の光変調器（１０４）に入力し、上記第１レーザ光源（１０１）からの第１光信号は、該光変調器（１０４）において変調された信号光となる。なお、本構成では光変調器（１０４）としてキャリア抑圧型の光単側波帯（光ＳＳＢ）変調器を用いるため、キャリア残留型のイメージ抑圧信号を得る。
【０００７】
また、第２レーザ光源（１０２）からの第２光信号は無変調のまま光混合器（１０５）に入力し、前記光変調器（１０４）からの光信号と混合されるので、光ファイバ伝送路（１３０）における光スペクトラム（１４０）は図のようになる。すなわち、周波数f2(Hz)の第２光信号（１４１）、周波数f1(Hz)の第１光信号（１４２）、周波数f1+f_m(Hz)の変調信号（１４３）から構成される。
【０００８】
光ファイバ伝送路（１３０）を介して接続されたリモートアンテナ局（１１０）では受信した光信号は光電気変換器（１１１）により自乗検波され、増幅器（１１２）で増幅された後にアンテナ（１１３）から空中に放射される。
このときの無線信号のスペクトラム（１４４）は図の通りであり、キャリア周波数がf1-f2(Hz)（例えばミリ波周波数）のイメージ抑圧型信号である。
【０００９】
本方式によると、リモートアンテナ局（１１０）に下側波帯のみを除去する無線周波数帯フィルタや、受信端末（１２０）に発振器などが不要であり、低コスト化が図られる。
【００１０】
受信端末（１２０）では、アンテナ（１２１）により前記信号を受信して図示しない増幅器やバンドパスフィルタを介し、検波器（１２２）で自乗検波する。無線信号（１４４）の無変調キャリア（１４５）と無線変調信号成分（１４６）の２成分の乗積成分が生成されることで、中間周波数帯信号が再生される。該中間周波数帯信号を、信号復調器（１２３）に入力することにより、復調され、情報信号データを取り出すことができる。
【００１１】
ところで、このような無線光融合通信システムをマルチセル環境に導入するためには、周波数の繰り返し利用と、隣接セル間干渉の観点から無線周波数チャネルを変更することが望ましいが、従来このような無線周波数チャネルを切り換える方式は提案されていなかった。
【発明の開示】
【発明が解決しようとする課題】
【００１２】
本発明は、上記従来技術の有する問題点に鑑みて創出されたものであり、簡便にかつ高速に無線周波数チャネルを切り換える技術を提供することを目的とする。
【課題を解決するための手段】
【００１３】
上記目的を達成するために、本発明による周波数変換方法は次の特徴を備える。
すなわち、請求項１に記載の発明は、無線変調信号を基地局で生成し、該無線変調信号を電気光変換することで変調形態を維持したまま光信号に変換してリモートアンテナ局まで光ファイバ伝送し、該リモートアンテナ局では該伝送された光信号を光電気変換することで無線変調信号を取り出してアンテナより無線送信する無線光融合通信システムに係る。
【００１４】
そして、該システムにおける基地局が、異なる周波数の光信号を発生する第１光源及び第２光源と、中間周波数帯で変調信号を生成する中間周波数帯信号発生手段と、該中間周波数帯信号で該第１光源からの光信号をキャリア非抑圧型の単側波帯（ＳＳＢ）光変調信号、もしくは両側波帯（ＤＳＢ）光変調信号に変調する変調器と、該変調された光信号と該第２光源からの光信号とを混合して光送信する光混合器とを少なくとも備える構成を用いる。
【００１５】
本発明は、該構成において、第１光源・第２光源からの光信号の両方又はいずれかの周波数について、両光信号の周波数の差が所望の無線変調信号周波数になるように調整することにより、リモートアンテナ局で取り出される無線変調信号の周波数チャネルを切り換えることを特徴とするものである。
【００１６】
また、請求項２に記載の周波数変換方法は、第１光源・第２光源の少なくともいずれかの後段に、光周波数シフタを挿入して、当該光源からの光信号の周波数をシフトさせるものである。
【００１７】
請求項３に記載の発明によると、上記請求項２の光周波数シフタが、メインマッハツェンダの中に２つのサブマッハツェンダを含む光導波路を備え、周波数シフト量を決定する所定の周波数の発振信号で駆動する構成において、印可する電圧を変じて各導波路間で所定の位相差を生じさせることにより前記発振信号周波数に応じた周波数シフトを行うことを特徴とする。
【００１８】
請求項４に記載の周波数変換方法では、前記所定の位相差について、サブマッハツェンダの導波路間位相差を＋π若しくは−πに設定する一方、メインマッハツェンダの導波路間位相差が＋π／２と−π／２とで反転するように電圧を印加することにより、光源からの光信号の周波数から上側波帯成分及び下側波帯成分にそれぞれ上記所定の周波数分だけシフトさせ、該所定の周波数の２倍に相当する周波数シフト量を得ることができる。
【００１９】
あるいは、請求項５に記載のように、所定の位相差について、メインマッハツェンダの導波路間位相差を＋π／２若しくは−π／２に設定する一方、サブマッハツェンダの導波路間位相差が＋πと−πとで反転するように電圧を印加することにより、光源からの光信号の周波数から上側波帯成分及び下側波帯成分にそれぞれ上記所定の周波数分だけシフトさせ、該所定の周波数の２倍に相当する周波数シフト量を得ることもできる。
【００２０】
請求項６の発明では、前記印加する電圧を所定のパルス周波数・パルスパターン・パルス電圧にしたパルス列で構成し、前記無線変調周波数をホッピングさせることを特徴とする。
【００２１】
周波数ホッピングの別態様として、請求項７のように、前記周波数シフト量を決定する所定の周波数の発振信号において、該周波数をホッピングさせることにより前記無線変調周波数をホッピングさせることもできる。
【００２２】
本発明では、上記のような無線光融合通信システムにおける周波数変換方法を備えた基地局を提供することもできる。
【発明の効果】
【００２３】
以上の発明により次の効果を奏する。
すなわち、本発明によるとレーザー光源からの光周波数を変更することにより、任意に周波数の変換が可能であり、無線周波数チャネルを切り換えることができる。特に、光周波数シフタを用いると、光源において複雑な光周波数制御機能を搭載する必要がなく、高速かつ高安定な無線周波数チャネルの切り換えに寄与する。その際、光周波数シフタを駆動する回路にはミリ波帯仕様の部品を用いることがないため、回路の低コスト化を図ることもできる。
【００２４】
上述した２逓倍の周波数シフトを用いると、光周波数シフタに入力する発振信号として低周波数の入力信号でも、より大きな周波数チャネルの変更が可能である。
さらに、簡便に周波数ホッピングが実現できるため、無線伝搬路がマルチパス環境である場合に、周波数ダイバーシチ効果によって高品位な通信が可能となる。
【発明を実施するための最良の形態】
【００２５】
以下、本発明の最良と考えられる実施形態を、図面に示す実施例を基に説明する。なお、実施形態は下記に限定されるものではない。
図１に本発明に係る無線光融合通信システムの全体構成を示す。図１０に示した構成と基本的な要素は同一であり、すなわち基地局（１０）、リモートアンテナ局（２０）、受信端末（３０）が、それぞれ光ファイバ伝送路（４０）、無線伝搬路（４１）で接続されている。
【００２６】
前述同様、基地局（１０）には発振周波数f1(Hz)で単一モード発振する第１レーザ光源（１１）と、同様に発振周波数f2(Hz)で発振する第２レーザ光源（１２）、中間周波数帯信号発生器（１３）、キャリア抑圧型の光単側波帯（光ＳＳＢ）変調器（１４）が配設される他、本発明では新たに第２レーザ光源（１２）の直後段に光周波数シフタ（１５）を設けている。
【００２７】
リモートアンテナ局（２０）及び受信端末（３０）の構成は図１０の構成と同一である。リモートアンテナ局（２０）には受信した光信号を自乗検波する光電気変換器（２１）、増幅器（２２）、アンテナ（２３）を、受信端末（３０）にはアンテナ（３１）や、図示しない増幅器やバンドパスフィルタ、検波器（３２）、信号復調器（３３）を設けている。
【００２８】
本発明は、無線伝搬路における無線周波数を切り換える技術を創出したものであり、本発明に係る自己へテロダイン伝送方式の利点を生かし、レーザ光源（１１）（１２）の光周波数を変化させるだけで無線周波数を切り換えることを提案する。
すなわち、本発明では無線周波数として主にミリ波帯を想定しているが、ミリ波帯の機器は高額であり、特に高安定な機器は開発が困難である問題があり、高速かつ安定的に無線周波数チャネルを切り換える技術が必要であった。
【００２９】
自己へテロダイン伝送方式によれば、２つのレーザ光源における光周波数の差が無線伝搬路における無線周波数となるため、ミリ波帯機器を用いることなく無線周波数チャネルを切り換えることが可能となる。本発明はこの特徴に着目してなされたものであり、これまで自己へテロダイン伝送方式のシステムで提案されていなかった、光周波数を変化させることを提案するものである。
【００３０】
従って、最もシンプルな実施態様としては、第１レーザ光源（１１）又は第２レーザ光源（１２）のいずれかの発振周波数を変化させることが考えられる。発振周波数f1(Hz)−発振周波数f2(Hz)が無線周波数チャネルとなるため、例えば第１レーザ光源（１１）の発振周波数を高めれば無線周波数も高くなり、チャネルを切り換えることが可能である。
【００３１】
これを図２、図３を用いて説述すると、図２は光ファイバ伝送路（４０）における光スペクトラムであり、光混合器（１８）により混合された後では、周波数f1+f_m(Hz)の変調信号（４２）、周波数f1(Hz)及び周波数f2(Hz)の発振信号（４３）（４４）の周波数分布になる。変調信号（４２）と発振信号（４３）はそれぞれ無線伝搬路におけるミリ波周波数分、中間周波数分だけ離れているため、発振信号（４４）が例えばf_s(Hz)シフトするとそれに伴って同量だけシフトする。
【００３２】
そして、無線伝搬路（４１）では、図３に示すようにミリ波帯においてキャリア成分（４５）と変調信号成分（４６）が伝搬し、この時のミリ波帯における周波数も、同様にf_s(Hz)シフトすることになる。
【００３３】
ところで、現今の技術によると、半導体レーザの発振周波数を変更するためには、温度制御を高精度に行うか、レーザ共振器長を高精度に機械制御する必要があり、必ずしも容易とは言えないため、最適な実施態様としては、第２レーザ光源（１２）や第１レーザ光源（１１）の直後段に光周波数シフタ（１５）を挿入する構成を提案する。
【００３４】
光周波数シフタ（１５）の構成について、図５に平面図を、図６に断面ａ−ａ’における断面図を、図７に断面ｂ−ｂ’における断面図をそれぞれ示しながら説述する。本光周波数シフタ（１５）は、ニオブ酸リチウムを用いて作製されるＸ−ｃｕｔＬＮ変調器と呼ばれ、メインマッハツェンダ（ＭＭＺ）（５０）の中に、２つのサブマッハツェンダ（ＳＭＺ）（６０）（７０）を入れ込んだ光導波路と、ＲＦ＋ＤＣ電極を２ポート（６１）（７１）及びＤＣ電極を１ポート（５１）から構成されている。なお、ＲＦ＋ＤＣ電極は１つのポートにせず、サブマッハツェンダ内でＲＦ電極とＤＣ電極の２つのポートに直列して配置してもよい。
【００３５】
図６及び図７に示されるように、サブマッハツェンダ（６０）（７０）において、ＲＦ＋ＤＣ電極（６１）（７１）の両側には基板全面に形成されているＧＮＤ電極（６２）が位置するため、ＲＦ＋ＤＣ電極（６１）とＧＮＤ電極（６２ａ）、以下同様にＲＦ＋ＤＣ電極（６１）とＧＮＤ電極（６２ｂ）、ＲＦ＋ＤＣ電極（７１）とＧＮＤ電極（６２ｂ）、ＲＦ＋ＤＣ電極（７１）とＧＮＤ電極（６２ｃ）にはそれぞれＲＦ＋ＤＣ電極からＧＮＤ電極に向けた電界が生じる。このとき、電極間の基板内に設けられた光導波路（６３）（６４）間で光位相差πを、光導波路（７２）（７３）間でも同様に光位相差πをそれぞれ生じるようにＤＣ電圧を印加する。
【００３６】
ＤＣ電圧は光周波数シフタ（１５）に接続したＤＣ電源器（１６）によって行い、上記ＲＦ＋ＤＣ電極（６１）（７１）、後述するＤＣ電極（５１）の３つの電極にそれぞれ独立した電圧を印加することができる。
【００３７】
さらに、ＲＦ＋ＤＣ電極からは、シフトさせる周波数に対応するＲＦ周波数f_s(Hz)のＲＦ発振信号を入力し発振周波数f2(Hz)がf_s(Hz)だけシフトした光成分を生成するようにする。なお、ＲＦ発振信号は、光周波数シフタ（１５）に接続したマイクロ波発振器（１７）によって生成する。
【００３８】
また、メインマッハツェンダ（５０）は図７のように、中央にＤＣ電極（５１）を配し、その両側にはＧＮＤ電極（６２ｄ）（６２ｅ）が位置し、その間には上記光導波路（６２）（６３）が合成された光導波路（５２）、光導波路（７２）（７３）が合成された光導波路（５３）がそれぞれ基板内に設けられている。
【００３９】
ＤＣ電極（５１）からは上記の周波数f_sが上側波帯にシフトする（すなわち+f_sだけ周波数シフトする）か、下側波帯にシフトする（-f_sだけ周波数シフトする）かを決定する電圧を印加する。すなわち、上側波帯シフトを行う場合には、光導波路Ｗ１（５２）及び光導波路Ｗ２（５３）に表１のような誘導位相量が生じるように電圧を印加する。
【００４０】
【表１】
2005244655.tif 000003
【００４１】
以下、さらに詳述する。
図８及び図９は各光導波路（６３）（６４）（７２）（７３）（５２）（５３）、さらに光導波路（５２）（５３）を合成した光導波路（５４）における光成分の様子を示した図である。図８の光成分図は、上記の光導波路に対応して、順に（８１）（８２）（８３）（８４）（８５）（８６）（８７）で示されており、同様に図９では（９１）（９２）（９３）（９４）（９５）（９６）（９７）で示されている。
【００４２】
図示のように、ＲＦ＋ＤＣ電極（６１）（７１）を調整することで、光成分（８１）と（８２）、（８３）と（８４）、（９１）と（９２）、（９３）と（９４）ではそれぞれ位相がπ異なるようにする。
また、ＤＣ電極（５１）の印加電圧の調整により、図８の場合には光成分（８５）と（８６）ではπ／２の位相差、図９の場合には光成分（９５）と（９６）では−π／２の位相差となるように設定する。
【００４３】
この結果、出力側の光導波路（５４）においては、図８の場合には光成分図（８７）のようにＪ＋１の成分が強調されて印加したＲＦ信号と同等の周波数安定性をもつシフト成分を取り出すことが可能となる。
一方、図９の場合には、光成分図（９７）のように図８とＪ０成分を中心に左右反転した配置となるので、Ｊ−１成分が強調されることになる。
【００４４】
以上のような構成により、光周波数シフタを用いてシフトを行う場合と行わない場合で入力したＲＦ周波数と等倍のシフト量を設定することも可能であるが、その他に２逓倍のシフト量を得ることもできる。
すなわち、上記の原理を用いることにより、ＤＣ電極（５１）に印加する電圧が図８の場合と図９の場合になるように切り換えれば、図２のようにＲＦ周波数f_sの２倍の周波数シフト量を容易に得ることができる。
【００４５】
２逓倍シフトを実現することは、シフト周波数の高効率性のみならず、ＲＦ周波数の上昇に伴う高Ｖπ化を抑制することができるので、通常周波数を変更するたびに必要となる光変調指数の調整を大幅に低減することができる。
【００４６】
周波数シフタ（１５）は、第１レーザ光源（１１）の直後段、光変調器（１４）との間に設けることもできる。このように光源の直後とすることで光源の光量が大きく、変調スペクトルが無いため、シフト調整しやすい点でメリットがあるが、光変調器（１４）の直後でもよい。
【００４７】
本発明の別な実施形態として、上記のようにメインマッハツェンダ（５０）における印加電圧の調整により光導波路（５２）（５３）に与える位相差は｜π／２｜と固定した上で、サブマッハツェンダ（６０）（７０）において、極性が反転するように構成しても同様の効果を得ることができる。
すなわち、上記では図８と図９においては両方のサブマッハツェンダ（６０）（７０）で共にπの位相差となるように設定したが、これを一方では−π、他方では＋πになるように設定し、メインマッハツェンダでは位相差を｜π／２｜となるように設定してもよい。
【００４８】
さらに、別実施形態として、上記のＤＣ電源器（１６）の代わりにパルス発生器を用いることができる。この場合、光周波数シフタを高速なパルス列で駆動することにより、パルス周波数・パルスパターン・パルス電圧に応じた高速な周波数ホッピングが無線信号に発生させることもできる。このように周波数ホッピングすると、図４に示す受信端末（３０）の受信パワー特性のように、周波数ダイバーシチ効果を得ることが出来るので、マルチパス環境に強い耐性を有する。
【００４９】
周波数ホッピングを生じさせる方法としては、上記ＲＦ信号を発振するマイクロ波発振器（１７）に代えて、公知のホッピングシンセサイザを用いる構成でもよい。本発明では周波数f_sによりシフト量が変化するため、これをホッピングさせることでも、同様に無線周波数帯のキャリア成分と変調信号成分が共にホッピングするように構成できる。
【図面の簡単な説明】
【００５０】
【図１】本発明による無線光融合通信システムの構成図である。
【図２】光ファイバ伝送路における光スペクトラムである。
【図３】無線変調信号におけるスペクトラムである。
【図４】受信器における受信パワーの特性図である。
【図５】本発明における光周波数シフタの平面図である。
【図６】本発明における光周波数シフタのａ−ａ’断面図である。
【図７】本発明における光周波数シフタのｂ−ｂ’断面図である。
【図８】各光導波路における光成分の様子を示した図である。
【図９】各光導波路における光成分の様子を示した図である。
【図１０】従来の構成における無線光融合通信システムの構成図である。
【符号の説明】
【００５１】
１０    基地局
１１    第１レーザ光源
１２    第２レーザ光源
１３    中間周波数帯信号発生器
１４    光変調器
１５    周波数シフタ
１６    ＤＣ電源器
１７    マイクロ波発振器
１８    光混合器
２０    リモートアンテナ局
２１    光電気変換器
２２    増幅器
２３    アンテナ
３０    受信端末
３１    アンテナ
３２    検波器
３３    信号復調器
４０    光ファイバ伝送路
４１    無線伝搬路
【図１】
2005244655.tif 000004
【図２】
2005244655.tif 000005
【図３】
2005244655.tif 000006
【図４】
2005244655.tif 000007
【図５】
2005244655.tif 000008
【図６】
2005244655.tif 000009
【図７】
2005244655.tif 000010
【図８】
2005244655.tif 000011
【図９】
2005244655.tif 000012
【図１０】
2005244655.tif 000013